(57)【特許請求の範囲】
【請求項１】
流入側端面から流出側端面まで延びる流体の流路となる複数のセルを区画形成する多孔質の隔壁を有するハニカム構造部と、それぞれの前記セルの前記流入側端面又は前記流出側端面の開口部に配設された目封止部と、を備え、
複数の前記セルは、前記流出側端面における前記セルの開口部に前記目封止部が配設された流入セルと、前記流入側端面における前記セルの開口部に前記目封止部が配設された流出セルと、を含み、
前記流入セルと前記流出セルを区画する前記隔壁を、第一隔壁とし、前記流入セル同士又は前記流出セル同士を区画する隔壁を、第二隔壁とし、
前記ハニカム構造部の前記セルが延びる方向に直交する断面において、少なくとも１つの前記第一隔壁と、少なくとも１つの前記第二隔壁とが交わる交点部を、第一交点部とし、且つ、前記第一隔壁同士、又は前記第二隔壁同士が交わる交点部を、非第一交点部とし、
前記第一交点部のうち、３つの隔壁が交わる部分において前記第一交点部の一部を含み且つ前記流入セルと前記流出セルとに接する最大内接円の直径Ｄ１が、当該第一交点部内の前記流入セルと前記流出セルの最短距離Ｌ１の１．１５倍以上、１．８０倍以下である第一交点部を、第一特定交点部とし、且つ
４つの隔壁が交わる部分において前記第一交点部の一部を含み且つ前記流入セルと前記流出セルとに接する最大内接円の直径Ｄ１が、当該第一交点部内の前記流入セルと前記流出セルの最短距離Ｌ１の１．５０倍以上、２．１０倍以下である第一交点部を、第一特定交点部とし、
前記ハニカム構造部の全ての前記第一交点部のうち、個数割合で３０％以上の前記第一交点部が前記第一特定交点部であり、
前記非第一交点部のうち、３つの隔壁が交わる部分において前記非第一交点部の一部を含み且つ前記流入セル同士又は前記流出セル同士に接する最大内接円の直径Ｄ０が、当該非第一交点部内の前記流入セル同士又は前記流出セル同士の最短距離Ｌ０の１．２０倍未満である非第一交点部を、非第一特定交点部とし、且つ
４つの隔壁が交わる部分において前記非第一交点部のうち、前記非第一交点部の一部を含み且つ前記流入セル同士又は前記流出セル同士に接する最大内接円の直径Ｄ０が、当該非第一交点部内の前記流入セル同士又は前記流出セル同士の最短距離Ｌ０の１．５５倍未満である非第一交点部を、非第一特定交点部とし、
前記ハニカム構造部の全ての前記非第一交点部のうち、個数割合で３０％以上が前記非第一特定交点部である、目封止ハニカム構造体。
【請求項２】
前記ハニカム構造部の全ての前記第一交点部のうち、個数割合で５０％以上の前記第一交点部が前記第一特定交点部である、請求項１に記載の目封止ハニカム構造体。
【請求項３】
前記ハニカム構造部の全ての前記第一交点部が、前記第一特定交点部である、請求項２に記載の目封止ハニカム構造体。
【請求項４】
前記ハニカム構造部の全ての前記非第一交点部が、前記非第一特定交点部である、請求項１〜３のいずれか一項に記載の目封止ハニカム構造体。
【請求項５】
前記ハニカム構造部の前記第一交点部と前記非第一交点部の合計個数に対して、前記第一交点部の個数の割合が、２０〜９８％である、請求項１〜４のいずれか一項に記載の目封止ハニカム構造体。
【請求項６】
前記第一交点部のうち、前記第一隔壁と、前記第二隔壁とが、９０°±２５°の角度で交わる交点部を、第二交点部とし、  前記第二交点部のうち、前記第二交点部の一部を含み且つ前記流入セルと前記流出セルとに接する最大内接円の直径Ｄ２が、当該第二交点部内の前記流入セルと前記流出セルの最短距離Ｌ２の１．１５倍以上、１．８０倍以下である第二交点部を、第二特定交点部とし、
前記ハニカム構造部の全ての前記第一交点部のうち、個数割合で３０％以上の前記第一交点部が前記第二特定交点部である、請求項２又は３に記載の目封止ハニカム構造体。
【請求項７】
前記ハニカム構造部の全ての前記第二交点部が、前記第二特定交点部である、請求項６に記載の目封止ハニカム構造体。
【請求項８】
前記ハニカム構造部の全ての前記第一交点部のうち、前記第二交点部以外の第一交点部が、前記第一特定交点部ではない、請求項７に記載の目封止ハニカム構造体。
【請求項９】
前記隔壁の厚さが、７０〜５１０μｍである、請求項１〜８のいずれか一項に記載の目封止ハニカム構造体。
【請求項１０】
前記隔壁が、コージェライト、ムライト、アルミナ、スピネル、炭化珪素、窒化珪素、及びチタン酸アルミニウム、からなる群から選択された少なくとも１種を含む材料からなる、請求項１〜９のいずれか一項に記載の目封止ハニカム構造体。
【請求項１１】
前記ハニカム構造部の前記セルが延びる方向に直交する断面において、少なくとも１つの前記流入セルの形状が、少なくとも１つの角部が曲線状に形成された、又は少なくとも１つの角部が直線状に面取りされた、五角形又は六角形である、請求項１〜１０のいずれか一項に記載の目封止ハニカム構造体。
【請求項１２】
前記ハニカム構造部の前記セルが延びる方向に直交する断面において、少なくとも１つの前記流出セルの形状が、少なくとも１つの角部が曲線状に形成された、又は少なくとも１つの角部が直線状に面取りされた、四角形である、請求項１〜１１のいずれか一項に記載の目封止ハニカム構造体。
【発明の詳細な説明】
【技術分野】
【０００１】
本発明は、ウォールフロー型排ガスフィルタ用の目封止ハニカム構造体に関する。更に詳しくは、自動車エンジン等のエンジンからの排ガスに含まれる粒子状物質の除去や、窒素酸化物等の有毒ガスの浄化に好適に用いられる、目封止ハニカム構造体に関する。
【背景技術】
【０００２】
様々な産業において、動力源として内燃機関が用いられている。一方で、内燃機関が燃料の燃焼時に排出する排ガスには、窒素酸化物等の有毒ガスと共に、煤や灰等の粒子状物質（以下、「ＰＭ」ということがある）が含まれている。特に、ディーゼルエンジンから排出されるＰＭの除去に関する規制は世界的に厳しくなっており、ＰＭを除去するためのフィルタ（以下、「ＤＰＦ」ということがある）として、ハニカム構造を有するウォールフロー型ガス浄化フィルタが用いられている。そして、ウォールフロー型ガス浄化フィルタとしては、多孔質の隔壁によって流体の流路となる複数のセルが区画形成されたハニカム構造部と、セルのいずれか一方の開口部に配設された目封止部と、を備えた目封止ハニカム構造体が用いられている。
【０００３】
目封止ハニカム構造体は、ハニカム構造部を構成する多孔質の隔壁が、ＰＭを除去するフィルタの役目を果たす構造となっている。具体的には、目封止ハニカム構造体は、その流入側端面からＰＭを含有する排ガスを流入させ、多孔質の隔壁でＰＭを捕集することによって濾過した後に、浄化された排ガスを流出側端面から排出することで、ＤＰＦとして用いられてきた。
【０００４】
従来、このような目封止ハニカム構造体として、隔壁によって区画形成されたセルの角部に、選択的に、Ｒ部等からなる補強部が配置されたものが提案されている。例えば、薄くなった隔壁の交点部の全てに略円弧状のＲ部を設けることにより、クラックの発生を防止することが可能なハニカム構造体が提案されている（特許文献１）。この他、セルの対向する隅角部に略円弧状のＲ部を配置することによる、隔壁の交点部における亀裂発生の防止が提案されている（特許文献２）。このようなＲ部等からなる補強部は、目封止ハニカム構造体に形成されたセルの全ての角部に配置することが基本であり、その他、ハニカム構造体の外周部に形成されたセルに選択的に補強部を配置したり、外周に向うにつれ、補強部が大きくなるように配置したりすることがあった。
【先行技術文献】
【特許文献】
【０００５】
【特許文献１】特開２０１４−２００７４１号公報
【特許文献２】特開２００３−２６９１３１号公報
【発明の概要】
【発明が解決しようとする課題】
【０００６】
従来技術の通りに、目封止ハニカム構造体に形成されたセルの角部に補強部を配置することは、目封止ハニカム構造体の機械的な強度、例えば、アイソスタティック強度の向上に効果的である。このため、セルの角部に補強部を配置することにより、例えば、目封止ハニカム構造体を収容する容器内への収納（キャニング）を行う際の、目封止ハニカム構造体の破損等を有効に抑制することができる。ただし、補強部を配置した角部の数が多すぎると、目封止ハニカム構造体の流入側端面の開口面積が小さくなり、目封止ハニカム構造体の圧力損失が増大するという問題があった。また、補強部を配置した角部の数が多すぎると、目封止ハニカム構造体の流入側端面が開口している流入セルの容積が小さくなり、目封止ハニカム構造体の灰を堆積させる収容能力が減少するという問題があった。
【０００７】
また、目封止ハニカム構造体をＤＰＦとして使用する場合には、隔壁に堆積させたＰＭを燃焼除去する再生処理が行われる。この再生処理時においては、ＰＭの燃焼によって生じる熱応力により、目封止ハニカム構造体にクラックが発生することがある。目封止ハニカム構造体にクラックが発生すると、ＰＭの捕集効率が低下する。目封止ハニカム構造体に発生するクラックの多くは、隔壁によって区画形成されるセルの角部を通りながら、その他の複数のセルに渡って進展する。このため、セルの角部に補強部を配置することで、クラックを発生させる応力に対する耐性を高めることができる。ただし、自動車エンジン等の多様な運転条件や、排ガスに含まれるＰＭの性質などの諸条件により、目封止ハニカム構造体に発生する応力の完璧な制御は不可能であるということが実情であった。このため、目封止ハニカム構造体に、想定外の大きな応力が発生した場合には、クラックの発生を避けることができず、従来、目封止ハニカム構造体をＤＰＦとして使用する際には、クラックが発生しないような、安全を見越した設計をせざるを得なかった。即ち、従来の目封止ハニカム構造体は、ＤＰＦとして使用する際に、堆積可能なススの許容量を、本来の許容量よりも低く設定して使用されることがあった。
【０００８】
本発明は、このような従来技術の有する問題点に鑑みてなされてものである。本発明は、開口面積の減少、圧力損失の増大、及びＰＭの捕集効率の低下を、それぞれ有効に抑制することができるとともに、機械的強度及び耐熱衝撃性に優れた、目封止ハニカム構造体を提供する。
【課題を解決するための手段】
【０００９】
本発明によれば、以下に示す目封止ハニカム構造体が提供される。
【００１０】
［１］  流入側端面から流出側端面まで延びる流体の流路となる複数のセルを区画形成する多孔質の隔壁を有するハニカム構造部と、それぞれの前記セルの前記流入側端面又は前記流出側端面の開口部に配設された目封止部と、を備え、複数の前記セルは、前記流出側端面における前記セルの開口部に前記目封止部が配設された流入セルと、前記流入側端面における前記セルの開口部に前記目封止部が配設された流出セルと、を含み、前記流入セルと前記流出セルを区画する前記隔壁を、第一隔壁とし、前記流入セル同士又は前記流出セル同士を区画する隔壁を、第二隔壁とし、前記ハニカム構造部の前記セルが延びる方向に直交する断面において、少なくとも１つの前記第一隔壁と、少なくとも１つの前記第二隔壁とが交わる交点部を、第一交点部とし、且つ、前記第一隔壁同士、又は前記第二隔壁同士が交わる交点部を、非第一交点部とし、前記第一交点部のうち、３つの隔壁が交わる部分において前記第一交点部の一部を含み且つ前記流入セルと前記流出セルとに接する最大内接円の直径Ｄ１が、当該第一交点部内の前記流入セルと前記流出セルの最短距離Ｌ１の１．１５倍以上、１．８０倍以下である第一交点部を、第一特定交点部とし、且つ４つの隔壁が交わる部分において前記第一交点部の一部を含み且つ前記流入セルと前記流出セルとに接する最大内接円の直径Ｄ１が、当該第一交点部内の前記流入セルと前記流出セルの最短距離Ｌ１の１．５０倍以上、２．１０倍以下である第一交点部を、第一特定交点部とし、前記ハニカム構造部の全ての前記第一交点部のうち、個数割合で３０％以上の前記第一交点部が前記第一特定交点部であり、前記非第一交点部のうち、３つの隔壁が交わる部分において前記非第一交点部の一部を含み且つ前記流入セル同士又は前記流出セル同士に接する最大内接円の直径Ｄ０が、当該非第一交点部内の前記流入セル同士又は前記流出セル同士の最短距離Ｌ０の１．２０倍未満である非第一交点部を、非第一特定交点部とし、且つ４つの隔壁が交わる部分において前記非第一交点部のうち、前記非第一交点部の一部を含み且つ前記流入セル同士又は前記流出セル同士に接する最大内接円の直径Ｄ０が、当該非第一交点部内の前記流入セル同士又は前記流出セル同士の最短距離Ｌ０の１．５５倍未満である非第一交点部を、非第一特定交点部とし、前記ハニカム構造部の全ての前記非第一交点部のうち、個数割合で３０％以上が前記非第一特定交点部である、目封止ハニカム構造体。
【００１１】
［２］  前記ハニカム構造部の全ての前記第一交点部のうち、個数割合で５０％以上の前記第一交点部が前記第一特定交点部である、前記［１］に記載の目封止ハニカム構造体。
【００１２】
［３］  前記ハニカム構造部の全ての前記第一交点部が、前記第一特定交点部である、前記［２］に記載の目封止ハニカム構造体。
【００１３】
［４］  前記ハニカム構造部の全ての前記非第一交点部が、前記非第一特定交点部である、前記［１］〜［３］のいずれかに記載の目封止ハニカム構造体。
【００１４】
［５］  前記ハニカム構造部の前記第一交点部と前記非第一交点部の合計個数に対して、前記第一交点部の個数の割合が、２０〜９８％である、前記［１］〜［４］のいずれかに記載の目封止ハニカム構造体。
【００１５】
［６］  前記第一交点部のうち、前記第一隔壁と、前記第二隔壁とが、９０°±２５°の角度で交わる交点部を、第二交点部とし、前記第二交点部のうち、前記第二交点部の一部を含み且つ前記流入セルと前記流出セルとに接する最大内接円の直径Ｄ２が、当該第二交点部内の前記流入セルと前記流出セルの最短距離Ｌ２の１．１５倍以上、１．８０倍以下である第二交点部を、第二特定交点部とし、前記ハニカム構造部の全ての前記第一交点部のうち、個数割合で３０％以上の前記第一交点部が前記第二特定交点部である、前記［２］又は［３］に記載の目封止ハニカム構造体。
【００１６】
［７］  前記ハニカム構造部の全ての前記第二交点部が、前記第二特定交点部である、前記［６］に記載の目封止ハニカム構造体。
【００１７】
［８］  前記ハニカム構造部の全ての前記第一交点部のうち、前記第二交点部以外の第一交点部が、前記第一特定交点部ではない、前記［７］に記載の目封止ハニカム構造体。
【００１８】
［９］  前記隔壁の厚さが、７０〜５１０μｍである、前記［１］〜［８］のいずれかに記載の目封止ハニカム構造体。
【００１９】
［１０］  前記隔壁が、コージェライト、ムライト、アルミナ、スピネル、炭化珪素、窒化珪素、及びチタン酸アルミニウム、からなる群から選択された少なくとも１種を含む材料からなる、前記［１］〜［９］のいずれかに記載の目封止ハニカム構造体。
【００２０】
［１１］  前記ハニカム構造部の前記セルが延びる方向に直交する断面において、少なくとも１つの前記流入セルの形状が、少なくとも１つの角部が曲線状に形成された、又は少なくとも１つの角部が直線状に面取りされた、五角形又は六角形である、前記［１］〜［１０］のいずれかに記載の目封止ハニカム構造体。
【００２１】
［１２］  前記ハニカム構造部の前記セルが延びる方向に直交する断面において、少なくとも１つの前記流出セルの形状が、少なくとも１つの角部が曲線状に形成された、又は少なくとも１つの角部が直線状に面取りされた、四角形である、前記［１］〜［１１］のいずれかに記載の目封止ハニカム構造体。
【発明の効果】
【００２２】
本発明の目封止ハニカム構造体は、開口面積の減少、圧力損失の増大、及びＰＭの捕集効率の低下を、それぞれ有効に抑制することができるとともに、機械的強度及び耐熱衝撃性に優れるという効果を奏するものである。特に、本発明の目封止ハニカム構造体は、交点部にクラックが発生したとしても、クラックの進展を有効に抑制し、目封止ハニカム構造体からのスス漏れを有効に抑制することができる。
【００２３】
より具体的には、本発明の目封止ハニカム構造体は、全ての第一交点部のうちの３０％以上（個数％）が、第一特定交点部であり、且つ、全ての非第一交点部のうちの３０％以上（個数％）が、非第一特定交点部であることにより、開口面積の減少、及び圧力損失の増大を有効に抑制することができる。また、第一交点部は、目封止ハニカム構造体にクラックが発生した場合に、ＰＭの捕集効率の低下に直結する部位である。ここで、第一特定交点部は、流入セルと流出セルとの間隔が相対的に大きくなるように構成された第一交点部であり、このような第一特定交点部を３０％以上設けることにより、ＰＭの捕集効率の低下を有効に抑制することができる。一方、非第一交点部は、ＰＭの捕集効率の低下への影響が非常に少ない部位である。このため、非第一交点部の３０％以上を非第一特定交点部とすることにより、非第一交点部については、クラックの発生抑制効果よりも、開口面積の減少及び圧力損失の増大の抑制に大きく寄与するような構成を採用している。従って、本発明の目封止ハニカム構造体は、開口面積の減少、圧力損失の増大、及びＰＭの捕集効率の低下を、それぞれ有効に抑制することができるとともに、機械的強度及び耐熱衝撃性に優れるという効果を奏するものである。
【図面の簡単な説明】
【００２４】
【図１】本発明の目封止ハニカム構造体の一の実施形態を模式的に示す斜視図である。
【図２】図１に示す目封止ハニカム構造体の流入側端面を模式的に示す平面図である。
【図３】図１に示す目封止ハニカム構造体の流出側端面を模式的に示す平面図である。
【図４】図２の符号Ｐに示す破線で囲われた範囲を拡大して示す、拡大模式図である。
【図５】図２のＡ−Ａ’断面を模式的に示す、断面図である。
【図６】本発明の目封止ハニカム構造体における隔壁が交わる交点部を説明するための説明図である。
【図７】本発明の目封止ハニカム構造体の他の実施形態における、流入側端面の一部を拡大した、拡大平面図である。
【図８】本発明の目封止ハニカム構造体の更に他の実施形態における、流入側端面の一部を拡大した、拡大平面図である。
【図９】本発明の目封止ハニカム構造体の更に他の実施形態における、流入側端面の一部を拡大した、拡大平面図である。
【図１０】本発明の目封止ハニカム構造体の更に他の実施形態における、流入側端面の一部を拡大した、拡大平面図である。
【図１１】本発明の目封止ハニカム構造体の更に他の実施形態における、流入側端面の一部を拡大した、拡大平面図である。
【図１２】本発明の目封止ハニカム構造体の更に他の実施形態における、流入側端面の一部を拡大した、拡大平面図である。
【図１３】本発明の目封止ハニカム構造体の更に他の実施形態における、流入側端面の一部を拡大した、拡大平面図である。
【図１４】本発明の目封止ハニカム構造体の更に他の実施形態における、流入側端面のセルの配列パターンの一例を示す、模式図である。
【図１５】図１４に示すセルの配列パターンの、流出側端面を示す、模式図である。
【図１６】本発明の目封止ハニカム構造体の更に他の実施形態における、流入側端面のセルの配列パターンの一例を示す、模式図である。
【図１７】図１６に示すセルの配列パターンの、流出側端面を示す、模式図である。
【発明を実施するための形態】
【００２５】
以下、本発明の実施形態について説明する。しかし、本発明は以下の実施形態に限定されるものではない。したがって、本発明の趣旨を逸脱しない範囲で、当業者の通常の知識に基づいて、以下の実施形態に対し適宜変更、改良等が加えられ得ることが理解されるべきである。
【００２６】
（１）目封止ハニカム構造体：
図１〜図５に示すように、本発明の目封止ハニカム構造体の第一実施形態は、ハニカム構造部９と、目封止部３と、を備えた、目封止ハニカム構造体１００である。ここで、図１は、本発明の目封止ハニカム構造体の一の実施形態を模式的に示す斜視図である。図２は、図１に示す目封止ハニカム構造体の流入側端面を模式的に示す平面図である。図３は、図１に示す目封止ハニカム構造体の流出側端面を模式的に示す平面図である。図４は、図２の符号Ｐに示す破線で囲われた範囲を拡大して示す、拡大模式図である。図５は、図２のＡ−Ａ’断面を模式的に示す、断面図である。
【００２７】
ハニカム構造部９は、流入側端面１１から流出側端面１２まで延びる流体の流路となる複数のセル２を区画形成する多孔質の隔壁１を有するものである。図１〜図３及び図５に示すハニカム構造部９は、セル２を区画形成する隔壁１を囲繞するように配設された外周壁５を有している。
【００２８】
目封止部３は、それぞれのセル２の流入側端面１１又は流出側端面１２の開口部に配設され、セル２のいずれか一方の開口部を封止するものである。このような目封止部３を備えることにより、目封止ハニカム構造体１００を、例えば、ウォールフロー型ガス浄化フィルタとして用いることができる。
【００２９】
複数のセル２は、流出側端面１２におけるセル２の開口部に目封止部３が配設された流入セル２ａと、流入側端面１１におけるセル２の開口部に目封止部３が配設された流出セル２ｂと、を含む。目封止ハニカム構造体１００を、ウォールフロー型ガス浄化フィルタとして用いる際には、目封止ハニカム構造体１００の流入側端面１１が、排ガスが排出される排気系の上流側に位置するように配置され、排ガスは、流入側端面１１から、流入セル２ａに流入する。そして、流入セル２ａに流入した排ガスは、多孔質の隔壁１を通過し、流出セル２ｂへと流れ、目封止ハニカム構造体１００の流出側端面１２から排出される。多孔質の隔壁１を通過する際に、排ガスに含まれるＰＭ等が捕集され、捕集されたＰＭは、隔壁１の表面、又は、隔壁１の細孔内部に堆積する。
【００３０】
本実施形態の目封止ハニカム構造体１００においては、セル２を区画形成する隔壁１を、以下のようにして、第一隔壁１ａと、第二隔壁１ｂとに分類する。第一隔壁１ａは、流入セル２ａと流出セル２ｂを区画する隔壁１とする。第二隔壁１ｂは、流入セル２ａ同士又は流出セル２ｂ同士を区画する隔壁１とする。ここで、「流入セル２ａ同士を区画する隔壁１」とは、隔壁１の一方の表面側に、流入セル２ａが存在する際に、当該隔壁１のもう一方の表面側にも、流入セル２ａが存在する隔壁１のことをいう。また、「流出セル２ｂ同士を区画する隔壁１」とは、隔壁１の一方の表面側に、流出セル２ｂが存在する際に、当該隔壁１のもう一方の表面側にも、流出セル２ｂが存在する隔壁１のことをいう。また、「流入セル２ａと流出セル２ｂを区画する隔壁１」とは、隔壁１の一方の表面側に、流入セル２ａが存在する際に、当該隔壁１のもう一方の表面側に、流出セル２ｂが存在する隔壁１のことをいう。なお、第一隔壁１ａ及び第二隔壁１ｂは、隔壁１が区画するセル２の種類によって、隔壁１を便宜的に分類するものであり、第一隔壁１ａと第二隔壁１ｂとは、相互に連続する一体的に構成された構成要素である。
【００３１】
本実施形態の目封止ハニカム構造体１００においては、隔壁１同士が交わる交点部を、以下のようにして、第一交点部４ａと、非第一交点部４ｃとに分類する。第一交点部４ａは、ハニカム構造部９のセル２が延びる方向に直交する断面において、少なくとも１つの第一隔壁１ａと、少なくとも１つの第二隔壁１ｂとが、少なくとも交わる交点部とする。即ち、第一交点部４ａは、当該第一交点部４ａを中心として延びる隔壁１に、第一隔壁１ａと第二隔壁１ｂの両方の隔壁１が含まれている。非第一交点部４ｃは、ハニカム構造部９のセル２が延びる方向に直交する断面において、第一隔壁１ａ同士、又は第二隔壁１ｂ同士が交わる交点部とする。
【００３２】
更に、本実施形態の目封止ハニカム構造体１００においては、第一交点部４ａのうち、以下のように構成された第一交点部４ａを、第一特定交点部４ａａとする。まず、第一特定交点部４ａａであるか否かを判別するためには、各第一交点部４ａに対して、第一交点部４ａの一部を含み且つ流入セル２ａと流出セル２ｂとに接する最大内接円を、仮想的に描き、その最大内接円の直径Ｄ１を求める。この際、第一交点部４ａが、３つの隔壁１が交わる部分である場合において、第一交点部４ａが、第一特定交点部４ａａであるためには、以下のように構成されている必要がある。即ち、３つの隔壁１が交わる第一交点部４ａが、第一特定交点部４ａａであるためには、その最大内接円の直径Ｄ１が、第一交点部４ａ内の流入セル２ａと流出セル２ｂの最短距離Ｌ１の１．１５倍以上、１．８０倍以下であることが必要である。また、第一交点部４ａが、４つの隔壁１が交わる部分である場合において、第一交点部４ａが、第一特定交点部４ａａであるためには、以下のように構成されている必要がある。即ち、４つの隔壁１が交わる第一交点部４ａが、第一特定交点部４ａａであるためには、その最大内接円の直径Ｄ１が、第一交点部４ａ内の流入セル２ａと流出セル２ｂの最短距離Ｌ１の１．５０倍以上、２．１０倍以下であることが必要である。以上のように構成されたそれぞれの第一交点部４ａを、第一特定交点部４ａａとする。以下、第一交点部４ａの一部を含み且つ流入セル２ａと流出セル２ｂとに接する最大内接円を、「第一交点部４ａ内に描かれる最大内接円」ということがある。
【００３３】
上述した最大内接円の直径Ｄ１は、例えば、画像解析等の公知の方法により求めることができる。例えば、図４においては、第一交点部４ａの一部を含み且つ流入セル２ａと流出セル２ｂとに接する最大内接円７ａ，７ｂ，７ｃ，７ｄを仮想的に描いた状態を示している。そして、それぞれの最大内接円７ａ，７ｂ，７ｃ，７ｄの直径Ｄ１を、図４において、Ｄ１（ａ），Ｄ２（ｂ），Ｄ１（ｃ），Ｄ２（ｄ）の符号を付した矢印にて示している。また、図４においては、それぞれの第一交点部４ａ内の流入セル２ａと流出セル２ｂの最短距離Ｌ１については、Ｌ１（ａ），Ｌ２（ｂ），Ｌ１（ｃ），Ｌ２（ｄ）の符号を付した矢印にて示している。図４の紙面の右側において、最大内接円７ａ，７ｂが描かれている第一交点部４ａは、第一特定交点部４ａａとなっている。また、図４の紙面の左側において、最大内接円７ｃ，７ｄが描かれている第一交点部４ａは、第一特定交点部４ａａではない。
【００３４】
本実施形態の目封止ハニカム構造体１００においては、ハニカム構造部９の全ての第一交点部４ａのうち、個数割合で３０％以上の第一交点部４ａが第一特定交点部４ａａである。以下、特に断りのない限り、第一交点部４ａに占める、第一特定交点部４ａａの割合は、個数割合（個数％）のこととする。例えば、「全ての第一交点部４ａのうち、個数割合で３０％以上の第一交点部４ａが第一特定交点部４ａａである」ことを、「第一交点部４ａのうちの３０％以上が第一特定交点部４ａａである」ということがある。なお、目封止ハニカム構造体において、「５つ以上の隔壁が交わる第一交点部」が存在している場合において、当該第一交点部は、単なる「第一交点部」とする。即ち、「５つ以上の隔壁が交わる第一交点部」は、第一特定交点部のカウントには含めないものとする。そして、本実施形態の目封止ハニカム構造体は、全ての「第一交点部」の個数に対して、「３つ又は４つの隔壁が交わる第一交点部のうちの第一特定交点部が、３０％以上」を満たすものである。
【００３５】
また、本実施形態の目封止ハニカム構造体１００においては、非第一交点部４ｃのうち、以下のように構成された非第一交点部４ｃを、非第一特定交点部４ｃａとする。まず、非第一特定交点部４ｃａであるか否かを判別するためには、各非第一交点部４ｃに対して、非第一交点部４ｃの一部を含み且つ流入セル２ａ同士又は流出セル２ｂ同士に接する最大内接円を、仮想的に描き、その最大内接円の直径Ｄ０を求める。この際、非第一交点部４ｃが、３つの隔壁１が交わる部分である場合において、非第一交点部４ｃが、非第一特定交点部４ｃａであるためには、以下のように構成されている必要がある。即ち、３つの隔壁１が交わる非第一交点部４ｃが、非第一特定交点部４ｃａであるためには、その最大内接円の直径Ｄ０が、非第一交点部４ｃ内の流入セル２ａ同士又は流出セル２ｂ同士の最短距離Ｌ０の１．２０倍未満であることが必要である。また、非第一交点部４ｃが、４つの隔壁１が交わる部分である場合において、非第一交点部４ｃが、非第一特定交点部４ｃａであるためには、以下のように構成されている必要がある。即ち、４つの隔壁１が交わる非第一交点部４ｃが、非第一特定交点部４ｃａであるためには、その最大内接円の直径Ｄ０が、非第一交点部４ｃ内の流入セル２ａ同士又は流出セル２ｂ同士の最短距離Ｌ０の１．５５倍未満であることが必要である。以上のように構成されたそれぞれの非第一交点部４ｃを、非第一特定交点部４ｃａとする。以下、非第一交点部４ｃの一部を含み且つ流入セル２ａ同士又は流出セル２ｂ同士に接する最大内接円を、「非第一交点部４ｃ内に描かれる最大内接円」ということがある。
【００３６】
最大内接円の直径Ｄ０についても、画像解析等の公知の方法により求めることができる。例えば、図４においては、非第一交点部４ｃの一部を含み且つ流入セル２ａ同士に接する最大内接円７ｅを仮想的に描いた状態を示している。そして、最大内接円７ｅの直径Ｄ０を、図４において、Ｄ０（ａ）の符号を付した矢印にて示している。また、図４においては、非第一交点部４ｃ内の流入セル２ａ同士の最短距離Ｌ０については、Ｌ０（ａ）の符号を付した矢印にて示している。
【００３７】
本実施形態の目封止ハニカム構造体１００においては、ハニカム構造部９の全ての非第一交点部４ｃのうち、個数割合で３０％以上の非第一交点部４ｃが非第一特定交点部４ｃａである。以下、特に断りのない限り、非第一交点部４ｃに占める、非第一特定交点部４ｃａの割合は、個数割合（個数％）のこととする。例えば、「全ての非第一交点部４ｃのうち、個数割合で３０％以上の非第一交点部４ｃが非第一特定交点部４ｃａである」ことを、「非第一交点部４ｃのうちの３０％以上が非第一特定交点部４ｃａである」ということがある。
【００３８】
以上のように構成された本実施形態の目封止ハニカム構造体は、開口面積の減少、圧力損失の増大、及びＰＭの捕集効率の低下を、それぞれ有効に抑制することができるとともに、機械的強度及び耐熱衝撃性に優れるという効果を奏するものである。特に、本実施形態の目封止ハニカム構造体は、交点部にクラックが発生したとしても、クラックの進展を有効に抑制し、目封止ハニカム構造体からのスス漏れを有効に抑制することができる。より具体的には、本実施形態の目封止ハニカム構造体は、全ての第一交点部のうちの３０％以上が、第一特定交点部であり、且つ、全ての非第一交点部のうちの３０％以上が、非第一特定交点部である。このため、本実施形態の目封止ハニカム構造体は、開口面積の減少、及び圧力損失の増大を有効に抑制することができる。第一交点部は、目封止ハニカム構造体にクラックが発生した場合に、ＰＭの捕集効率の低下に直結する部位である。ここで、第一特定交点部は、流入セルと流出セルとの間隔が相対的に大きくなるように構成された第一交点部である。このような第一特定交点部を３０％以上設けることにより、ＰＭ再生時の熱応力に対する強度が増し、目封止ハニカム構造体にクラックが発生したとしても、第一特定交点部にてクラックの進展を防ぎ、ＰＭの捕集効率の低下を有効に抑制することができる。一方、非第一交点部は、ＰＭの捕集効率の低下への影響が非常に少ない部位である。このため、非第一交点部の３０％以上を非第一特定交点部とすることにより、非第一交点部については、クラックの発生抑制効果よりも、開口面積の減少及び圧力損失の増大の抑制に大きく寄与するような構成を採用している。従って、本実施形態の目封止ハニカム構造体は、開口面積の減少、圧力損失の増大、及びＰＭの捕集効率の低下を、それぞれ有効に抑制することができるとともに、機械的強度及び耐熱衝撃性に優れるという効果を奏するものである。
【００３９】
３つの隔壁１が交わる第一交点部４ａ内に描かれる最大内接円の直径Ｄ１が、第一交点部４ａ内の流入セル２ａと流出セル２ｂの最短距離Ｌ１の１．１５倍未満であると、第一交点部４ａにおけるクラックの発生抑制効果が十分に発現しないことがある。同様に、４つの隔壁１が交わる第一交点部４ａ内に描かれる最大内接円の直径Ｄ１が、第一交点部４ａ内の流入セル２ａと流出セル２ｂの最短距離Ｌ１の１．５０倍未満であると、第一交点部４ａにおけるクラックの発生抑制効果が十分に発現しないことがある。また、３つの隔壁１が交わる第一交点部４ａ内に描かれる最大内接円の直径Ｄ１が、上記した最短距離Ｌ１の１．８０倍を超えると、第一交点部４ａが肉厚になり過ぎて、セル２の開口面積が減少したり、圧力損失が増大したりすることがある。同様に、４つの隔壁１が交わる第一交点部４ａ内に描かれる最大内接円の直径Ｄ１が、上記した最短距離Ｌ１の２．１０倍を超えると、第一交点部４ａが肉厚になり過ぎて、セル２の開口面積が減少したり、圧力損失が増大したりすることがある。
【００４０】
第一特定交点部４ａａの個数が、ハニカム構造部９の全ての第一交点部４ａの個数に対して３０％未満であると、第一特定交点部４ａａの個数が少な過ぎて、第一交点部４ａにおけるクラックの発生抑制効果が十分に発現しないことがある。
【００４１】
３つの隔壁１が交わる非第一交点部４ｃ内に描かれる最大内接円の直径Ｄ０が、最短距離Ｌ０の１．２０倍を超えると、ＰＭの捕集効率の低下への影響が少ない非第一交点部４ｃにおいて、クラックの発生抑制効果が過剰に発現してしまうことがある。同様に、４つの隔壁１が交わる非第一交点部４ｃ内に描かれる最大内接円の直径Ｄ０が、最短距離Ｌ０の１．５５倍を超えると、ＰＭの捕集効率の低下への影響が少ない非第一交点部４ｃにおいて、クラックの発生抑制効果が過剰に発現してしまうことがある。このため、結果として、このような非第一交点部４ｃが存在することにより、ＰＭの捕集効率の低下抑制効果よりも、セル２の開口面積が減少したり、圧力損失が増大したりするという悪影響が大きくなってしまう。特に、非第一特定交点部４ｃａ以外の非第一交点部４ｃが、ハニカム構造部９の全ての非第一交点部４ｃのうちの７０％を超えると、セル２の開口面積が減少したり、圧力損失が増大したりするという悪影響が極めて大きくなる。ここで、非第一特定交点部４ｃａ以外の非第一交点部４ｃとは、以下のように構成された、２種の非第一交点部４ｃのことをいう。１種目の非第一交点部４ｃは、３つの隔壁１が交わる非第一交点部４ｃにおいて、最大内接円の直径Ｄ０が、最短距離Ｌ０の１．２０倍を超える非第一交点部４ｃである。２種目の非第一交点部４ｃは、４つの隔壁１が交わる非第一交点部４ｃにおいて、最大内接円の直径Ｄ０が、最短距離Ｌ０の１．５５倍を超える非第一交点部４ｃである。
【００４２】
本実施形態の目封止ハニカム構造体においては、ハニカム構造部の全ての第一交点部のうちの５０％以上が、第一特定交点部でることが好ましい。また、ハニカム構造部の全ての第一交点部が、第一特定交点部であることが特に好ましい。このように構成することによって、ＰＭの捕集効率の低下を極めて有効に抑制することができる。
【００４３】
本実施形態の目封止ハニカム構造体においては、ハニカム構造部の全ての非第一交点部が、非第一特定交点部であることが好ましい。このように構成することによって、開口面積の減少、及び圧力損失の増大を、極めて有効に抑制することができる。
【００４４】
なお、本実施形態の目封止ハニカム構造体において、ハニカム構造部に存在する、第一交点部と非第一交点部との比率については特に制限はない。例えば、ハニカム構造部の第一交点部と非第一交点部の合計個数に対して、第一交点部の個数の割合が、２０〜９８％であることが好ましく、５０〜９８％であることがより好ましい。このように構成することによって、圧力損失の低減という効果を奏する。
【００４５】
また、図４に示すように、第一交点部４ａのうち、以下のように構成された第二特定交点部４ａｂａが、ハニカム構造部９の全ての第一交点部４ａのうち、個数割合で３０％以上であることがより好ましい。まず、第一交点部４ａが、第二特定交点部４ａｂａであるか否かを判別するためには、第一交点部４ａのうち、以下の条件を満たすものを、第二交点部４ａｂとして分類する。第二交点部４ａｂは、ハニカム構造部のセルが延びる方向に直交する断面において、第一隔壁１ａと、第二隔壁１ｂとが、９０°±２５°の角度で交わる交点部４のこととする。そして、このような第二交点部４ａｂのうち、以下のように構成された第二交点部４ａｂを、第二特定交点部４ａｂａとする。まず、第二特定交点部４ａｂａであるか否かを判別するためには、各第二交点部４ａｂに対して、第二交点部４ａｂの一部を含み且つ流入セル２ａと流出セル２ｂとに接する最大内接円を、仮想的に描き、その最大内接円の直径Ｄ２を求める。そして、第二交点部４ａｂが、第二特定交点部４ａｂａであるためには、その最大内接円の直径Ｄ２が、第二交点部４ａｂ内の流入セル２ａと流出セル２ｂの最短距離Ｌ２の１．１５倍以上、１．８０倍以下であることが必要である。このように構成された第二交点部４ａｂを、第二特定交点部４ａｂａとする。ここで、第二特定交点部４ａｂａの判別方法は、上述した第一特定交点部４ａａの判別方法と、その判別対象の交点部４が、第一交点部４ａのうちの更に特定の第二交点部４ａｂであること以外は、同様のものである。以下、第二交点部４ａｂの一部を含み且つ流入セル２ａと流出セル２ｂとに接する最大内接円を、「第二交点部４ａｂ内に描かれる最大内接円」ということがある。また、特に断りのない限り、第一交点部４ａに占める、第二特定交点部４ａｂａ割合は、個数割合（個数％）のこととする。
【００４６】
ここで、第二交点部４ａｂは、第一隔壁１ａと、第二隔壁１ｂとが、９０°±２５°の角度で交わる交点部４であり、第二交点部４ａｂのうちの特定数の交点部４を、第二特定交点部４ａｂａとすることで、ＰＭの捕集効率の低下を有効に抑制することができる。なお、第二交点部４ａｂは、第一隔壁１ａと、第二隔壁１ｂとが、９０°±２５°の角度のみで交わる交点部４のことをいう。例えば、一の第一隔壁１ａと、一の第二隔壁１ｂとが、９０°±２５°の角度で交わっていたとしても、当該交点部４において、一の第一隔壁１ａと、他の第二隔壁１ｂとが、９０°±２５°以外の角度で交わっている場合には、第二交点部４ａｂとしない。
【００４７】
本実施形態の目封止ハニカム構造体においては、ハニカム構造部の全ての第二交点部が、第二特定交点部であることがより好ましい。第二交点部は、ＰＭの捕集効率の低下の抑制効果において、極めて有効な部位であり、第二交点部を優先的に第二特定交点部とすることで、ＰＭの捕集効率の低下の抑制効果を極めて良好に発現させることができる。
【００４８】
本実施形態の目封止ハニカム構造体においては、ハニカム構造部の全ての第一交点部のうち、第二交点部以外の第一交点部が、第一特定交点部ではないことが好ましい。第二交点部は、ＰＭの捕集効率の低下の抑制効果において、極めて有効な部位であり、第二交点部を優先的に第二特定交点部とすることで、開口面積の減少及び圧力損失の増大の抑制効果と、ＰＭの捕集効率の低下の抑制効果とのバランスを良好に保つことができる。
【００４９】
ここで、本発明の目封止ハニカム構造体における「隔壁が交わる交点部」について、図６を参照しつつ、更に詳しく説明する。図６は、本発明の目封止ハニカム構造体における隔壁が交わる交点部を説明するための説明図である。図６に示すように、「隔壁が交わる交点部（４）」は、大きく、「第一交点部（４ａ）」と、「非第一交点部（４ｃ）」とに分類される。「第一交点部（４ａ）」は、更に、「第一特定交点部（４ａａ）」と、「第二交点部（４ａｂ）」とに分類される。この際、「第一特定交点部（４ａａ）」と、「第二交点部（４ａｂ）」とは、一部で重複しており、この重複部分が、「第二特定交点部（４ａｂａ）」となる。「第一交点部（４ａ）」、「第一特定交点部（４ａａ）」、「第二交点部（４ａｂ）」、及び「第二特定交点部（４ａｂａ）」の詳細については、これまでに説明した通りである。
【００５０】
また、「隔壁が交わる交点部（４）」のうち、「第一交点部（４ａ）」の条件を満たさない交点部が、「非第一交点部（４ｃ）」である。そして、「非第一交点部（４ｃ）」のうち、特定の条件を満たす交点部が、「非第一特定交点部（４ｃａ）」となる。
【００５１】
本実施形態の目封止ハニカム構造体においては、セルの延びる方向に直交する断面において、少なくとも２種類以上の異なる形状（断面形状）のセルが形成されていることが好ましい。このように構成することにより、ハニカム構造部の断面内に、第一交点部と非第一交点部とが存在することとなり、第一交点部を優先的に第一特定交点部とすることで、これまでに説明した各種の効果を良好に奏するものとなる。また、少なくとも２種類以上の異なる形状のセルが形成されている場合、この少なくとも２種類以上の異なる形状のセルが、所定の繰り返し配列パターンを有するように形成されていることが更に好ましい。
【００５２】
図１〜図５に示す目封止ハニカム構造体１００においては、セル２の形状が略四角形のセル（例えば、流出セル２ｂ）と、セル２の形状が略五角形のセル（例えば、流入セル２ａ）との、２種類の異なる形状のセル２が形成されている。以下、セル２の延びる方向に直交する断面における、セル２の形状のことを、「セル形状」、「断面形状」、及び「断面の形状」ということがある。また、上述した「繰り返し配列パターン」とは、少なくとも１つの流出セル２ｂと、少なくとも１つの流入セル２ａとによって構成された配列パターンであって、当該配列パターンが、１つのハニカム構造部９に、２以上存在するものをいう。即ち、１つのハニカム構造部９に、同じ配列パターンが、２箇所以上に存在するということである。また、「略四角形」とは、四角形、四角形の少なくとも１つの角部が曲線状に形成された形状、及び四角形の少なくとも１つの角部が直線状に面取りされた形状を意味する。「略五角形」とは、五角形、五角形の少なくとも１つの角部が曲線状に形成された形状、及び五角形の少なくとも１つの角部が直線状に面取りされた形状を意味する。その他、多角形を示す語句において、「略」を付した場合は、少なくとも１つの角部が曲線状に形成された形状、又は少なくとも１つの角部が直線状に面取りされた形状等を含むものとする。
【００５３】
本実施形態の目封止ハニカム構造体１００においては、セル２の延びる方向に直交する断面において、流出セル２ｂの周りを、流入セル２ａが取り囲むように構成されていることが好ましい。例えば、図１〜図５に示す目封止ハニカム構造体１００は、セル２の形状が略四角形の流出セル２ｂの周りを、セル２の形状が略五角形の流入セル２ａが取り囲むように構成されている。ここで、「流出セル２ｂの周りを、流入セル２ａが取り囲む」とは、セル２の延びる方向に直交する断面において、以下のように構成されていることを意味する。ここでは、図１〜図５に示すように、流出セル２ｂのセルの形状が略四角形の場合の例について説明する。まず、一の流出セル２ｂの４辺のそれぞれに対して、流入セル２ａの一辺が隣接するように配置される。この際、一の流出セル２ｂの一辺に対して、２つ以上の流入セル２ａの一辺が隣接するように配置されていてもよい。すなわち、一の流出セル２ｂの一辺の半分の位置までに、一の流入セル２ａの一辺が隣接するように配置され、更に、一の流出セル２ｂの一辺の半分以降の位置に、他の流入セル２ａの一辺が隣接するように配置されていてもよい。そして、一の流出セル２ｂに隣接する流入セル２ａの全てが、相互の流入セル２ａ同士で、互いの一辺が隣接するように配置される。このような状態で流入セル２ａが配置されることを、「流出セル２ｂの周りを、流入セル２ａが取り囲む」という。
【００５４】
ハニカム構造部のセルが延びる方向に直交する断面において、少なくとも１つの流入セルの形状が、少なくとも１つの角部が曲線状に形成された、又は少なくとも１つの角部が直線状に面取りされた、五角形又は六角形であることが好ましい。例えば、図４に示される流入セル２ａのうち、紙面の右側寄りに存在する流入セル２ａは、少なくとも１つの角部が曲線状に形成された五角形のセル形状である。流入セルの形状は、五角形又は六角形であってもよい。例えば、図４に示される流入セル２ａのうち、紙面の左側寄りに存在する流入セル２ａは、五角形のセル形状である。また、流入セルの形状は、五角形又は六角形以外のその他の多角形であってもよいし、当該多角形の少なくとも１つの角部が曲線状に形成された形状、又は当該多角形の少なくとも１つの角部が直線状に面取りされた形状であってもよい。
【００５５】
また、ハニカム構造部のセルが延びる方向に直交する断面において、少なくとも１つの流出セルの形状が、少なくとも１つの角部が曲線状に形成された、又は少なくとも１つの角部が直線状に面取りされた、四角形であることが好ましい。例えば、図４に示される流出セル２ｂのうち、紙面の右側寄りに存在する流出セル２ｂは、少なくとも１つの角部が曲線状に形成された四角形のセル形状である。流出セルの形状は、四角形であってもよい。例えば、図４に示される流出セル２ｂのうち、紙面の左側寄りに存在する流出セル２ｂは、四角形のセル形状である。
【００５６】
ここで、本発明の目封止ハニカム構造体の他の実施形態について説明する。図７は、本発明の目封止ハニカム構造体の他の実施形態における、流入側端面の一部を拡大した、拡大平面図である。この他の実施形態の目封止ハニカム構造体においては、図７に示すように、複数のセル２として、以下のようなセル形状の流入セル２ａ及び流出セル２ｂが、隔壁１によって区画形成されている。流入セル２ａのセル形状は、五角形であり、流出セル２ｂのセル形状は、４つの角部が曲線状に形成された略四角形である。他の実施形態の目封止ハニカム構造体においても、第一交点部４ａ及び非第一交点部４ｃが、本発明の目封止ハニカム構造体の条件を満たすように構成されている。なお、第一交点部４ａは、第一隔壁１ａと第二隔壁１ｂとが交わる交点部４であり、また、非第一交点部４ｃは、第二隔壁１ｂ同士が交わる交点部４である。第一隔壁１ａは、流入セル２ａと流出セル２ｂを区画する隔壁１であり、また、第二隔壁１ｂは、流入セル２ａ同士を区画する隔壁１である。
【００５７】
また、本発明の目封止ハニカム構造体の更に他の実施形態について説明する。図８〜図１３のそれぞれは、本発明の目封止ハニカム構造体の更に他の実施形態における、流入側端面の一部を拡大した、拡大平面図である。これらの更に他の実施形態の目封止ハニカム構造体においては、図８〜図１３のそれぞれに示すように、複数のセル２として、以下のようなセル形状の流入セル２ａ及び流出セル２ｂが、隔壁１によって区画形成されている。
【００５８】
図８において、流入セル２ａのセル形状は、２つの角部が曲線状に形成された略五角形であり、流出セル２ｂのセル形状は、四角形である。なお、流入セル２ａのセル形状は、ホームベース形状の略五角形であり、ホームベース形状の五角形の頂角に隣接する２つの角部が、曲線状に形成されている。
【００５９】
図９において、流入セル２ａのセル形状は、２つの角部が曲線状に形成された略五角形であり、流出セル２ｂのセル形状は、四角形である。なお、流入セル２ａのセル形状は、ホームベース形状の略五角形であり、ホームベース形状の五角形の頂角に隣接していない２つの角部が、曲線状に形成されている。
【００６０】
図１０において、流入セル２ａのセル形状は、２つの角部が曲線状に形成された略五角形であり、流出セル２ｂのセル形状は、４つの角部が曲線状に形成された略四角形である。流入セル２ａのセル形状は、図８に示す流入セル２ａのセル形状と同じである。
【００６１】
図１１において、流入セル２ａのセル形状は、２つの角部が曲線状に形成された略五角形であり、流出セル２ｂのセル形状は、４つの角部が曲線状に形成された略四角形である。流入セル２ａのセル形状は、図９に示す流入セル２ａのセル形状と同じである。
【００６２】
図１２において、流入セル２ａのセル形状は、４つの角部が曲線状に形成された略五角形であり、流出セル２ｂのセル形状は、四角形である。なお、流入セル２ａのセル形状は、ホームベース形状の略五角形であり、ホームベース形状の五角形の頂角以外の４つの角部が、曲線状に形成されている。
【００６３】
図１３において、流入セル２ａのセル形状は、４つの角部が曲線状に形成された略五角形であり、流出セル２ｂのセル形状は、４つの角部が曲線状に形成された略四角形である。流入セル２ａのセル形状は、図１２に示す流入セル２ａのセル形状と同じである。
【００６４】
また、図１４及び図１５を参照しつつ、本発明の目封止ハニカム構造体の更に他の実施形態について説明する。図１４は、本発明の目封止ハニカム構造体の更に他の実施形態における、流入側端面のセルの配列パターンの一例を示す、模式図である。図１５は、図１４に示すセルの配列パターンの、流出側端面を示す、模式図である。本実施形態の目封止ハニカム構造体においては、図１４及び図１５に示すように、セル形状が略四角形の複数のセル２が、隔壁１によって区画形成されている。図１４及び図１５に示す目封止ハニカム構造体においても、第一交点部４ａ及び非第一交点部４ｃが、本発明の目封止ハニカム構造体の条件を満たすように構成されている。図１４及び図１５において、符号２ａは、流入セルを示し、符号２ｂは、流出セルを示し、符号１ａは、第一隔壁を示し、符号１ｂは、第二隔壁を示す。
【００６５】
更に、図１６及び図１７を参照しつつ、本発明の目封止ハニカム構造体の更に他の実施形態について説明する。図１６は、本発明の目封止ハニカム構造体の更に他の実施形態における、流入側端面のセルの配列パターンの一例を示す、模式図である。図１７は、図１６に示すセルの配列パターンの、流出側端面を示す、模式図である。本実施形態の目封止ハニカム構造体においては、図１６及び図１７に示すように、セル形状が略六角形の複数のセル２が、隔壁１によって区画形成されている。図１６及び図１７に示す目封止ハニカム構造体においても、第一交点部４ａ及び非第一交点部４ｃが、本発明の目封止ハニカム構造体の条件を満たすように構成されている。図１６及び図１７において、符号２ａは、流入セルを示し、符号２ｂは、流出セルを示し、符号１ａは、第一隔壁を示し、符号１ｂは、第二隔壁を示す。図７〜図１７において、符号３は、目封止部を示す。
【００６６】
ここで、目封止ハニカム構造体の全体形状については、特に制限はない。例えば、図１に示す目封止ハニカム構造体１００の全体形状は、流入側端面１１及び流出側端面１２が円形の円柱形状である。その他、図示は省略するが、目封止ハニカム構造体の全体形状としては、流入側端面及び流出側端面が楕円形やレーストラック形や長円形等の略円形の柱形状であってもよい。また、目封止ハニカム構造体の全体形状としては、流入側端面及び流出側端面が四角形や六角形等の多角形の角柱形状であってもよい。
【００６７】
ハニカム構造部の隔壁を構成する材料に特に制限はないが、強度、耐熱性、耐久性等の観点から、主成分は酸化物又は非酸化物の各種セラミックスや金属等であることが好ましい。具体的には、セラミックスとしては、例えば、コージェライト、ムライト、アルミナ、スピネル、炭化珪素、窒化珪素、及びチタン酸アルミニウムからなる群から選択された少なくとも１種を含む材料からなることが好ましい。金属としては、Ｆｅ−Ｃｒ−Ａｌ系金属及び金属珪素等が考えられる。これらの材料の中から選ばれた１種又は２種以上を主成分とすることが好ましい。高強度、高耐熱性等の観点から、アルミナ、ムライト、チタン酸アルミニウム、コージェライト、炭化珪素、及び窒化珪素からなる群から選ばれた１種又は２種以上を主成分とすることが特に好ましい。また、高熱伝導率や高耐熱性等の観点からは、炭化珪素又は珪素−炭化珪素複合材料が特に適している。ここで、「主成分」とは、その成分中に、５０質量％以上、好ましくは７０質量％以上、更に好ましくは８０質量％以上存在する成分のことを意味する。
【００６８】
目封止部の材料についても特に制限はない。目封止部の材料としては、上述の隔壁の好適な材料として挙げた各種セラミックス及び金属等の中から選択された１種又は２種以上を含むことが好ましい。
【００６９】
セルの延びる方向に直交する断面における隔壁の厚さが、７０〜５１０μｍであることが好ましく、１００〜３５０μｍであることが更に好ましく、１５０〜３１０μｍであることが特に好ましい。ここで、隔壁の厚さとは、以下のような厚さのことをいう。流入セル同士を区画する隔壁においては、隔壁によって区画された２つの流入セルの最短距離を、隔壁の厚さとする。流出セル同士を区画する隔壁においては、隔壁によって区画された２つの流出セルの最短距離を、隔壁の厚さとする。流入セルと流出セルを区画する隔壁においては、流入セルと流出セルとの最短距離を、隔壁の厚さとする。
【００７０】
隔壁の気孔率は、２５〜７５％であることが好ましく、３０〜７０％であることが更に好ましく、４０〜６５％であることが特に好ましい。隔壁の気孔率が、２５％未満であると、圧力損失が上昇するおそれがある。隔壁の気孔率が、７５％を超えると、隔壁の交点部のクラックが進展し易くなるおそれがある。気孔率は、水銀ポロシメータによって測定した値である。
【００７１】
本実施形態の目封止ハニカム構造体では、流入セル２ａのセル断面開口率が２０〜７０％であることが好ましく、２５〜６５％であることが更に好ましい。流入セル２ａのセル断面開口率が２０％より小さいと、初期の圧力損失が増加するため好ましくない。また、７０％より大きいと、濾過流速が速くなるためＰＭの捕集効率が低下し、更に隔壁１の強度が不足するため好ましくない。ここで、「流入セル２ａのセル断面開口率」とは、目封止ハニカム構造体の中心軸方向に垂直な断面における、「目封止ハニカム構造体に形成された隔壁１全体の断面積」と「全てのセル２の断面積の総和」との合計に対する、「流入セル２ａの断面積の総和」の比率を意味する。
【００７２】
本実施形態の目封止ハニカム構造体では、複数のセル２のそれぞれの水力直径が０．５〜２．５ｍｍであることが好ましく、０．８〜２．２ｍｍであることが更に好ましい。複数のセル２のそれぞれの水力直径が０．５ｍｍより小さいと、初期の圧力損失が増加するため好ましくない。また、複数のセル２のそれぞれの水力直径が２．５ｍｍより大きいと、排ガスと隔壁１との接触面積が減少し、浄化効率が低下するため好ましくない。ここで、複数のセル２のそれぞれの水力直径とは、各セル２の断面積及び周長に基づき、４×（断面積）／（周長）によって計算される値である。セル２の断面積とは、目封止ハニカム構造体の中心軸方向に垂直な断面に現れるセルの形状（断面形状）の面積を指し、セルの周長とは、そのセルの断面形状の周囲の長さ（当該断面を囲む閉じた線の長さ）を指す。
【００７３】
また、本実施形態の目封止ハニカム構造体においては、流入セル２ａにおいて、幾何学的表面積ＧＳＡが、１０〜３０ｃｍ２／ｃｍ３であることが好ましく、１２〜１８ｃｍ２／ｃｍ３であることが更に好ましい。ここで、上述した「幾何学的表面積ＧＳＡ」とは、流入セル２ａの全内表面積（Ｓ）を、ハニカム構造部の全容積（Ｖ）で除した値（Ｓ／Ｖ）のことをいう。一般に、フィルタの濾過面積が大きいほど、隔壁へのＰＭ堆積厚さを低減できるため、上述した幾何学的表面積ＧＳＡの数値範囲とすることにより、目封止ハニカム構造体の圧力損失を低く抑えることができる。よって、流入セル２ａの幾何学的表面積ＧＳＡが１０ｃｍ２／ｃｍ３より小さいと、ＰＭ堆積時の圧力損失の増加につながるため好ましくない。また、３０ｃｍ２／ｃｍ３より大きいと、初期の圧力損失が増加するため好ましくない。
【００７４】
初期の圧力損失、ＰＭ堆積時の圧力損失、及び捕集効率のトレードオフを鑑み、本実施形態の目封止ハニカム構造体においては、流入セル２ａの幾何学的表面積ＧＳＡが１０〜３０ｃｍ２／ｃｍ３であること、流入セル２ａのセル断面開口率が２０〜７０％であること、及び複数のセル２のそれぞれの水力直径が０．５〜２．５ｍｍであることを同時に満たすことが好ましい。また、流入セル２ａの幾何学的表面積ＧＳＡが１２〜１８ｃｍ２／ｃｍ３であること、流入セル２ａのセル断面開口率が２５〜６５％であること、及び複数のセル２のそれぞれの水力直径が０．８〜２．２ｍｍであること、を同時に満たすことが更に好ましい。
【００７５】
本実施形態の目封止ハニカム構造体においては、複数のセル２を形成する隔壁１に触媒が担持されていてもよい。隔壁１に触媒を担持するとは、隔壁１の表面及び隔壁１に形成された細孔の内壁に、触媒がコーティングされることをいう。触媒の種類としては、ＳＣＲ触媒（ゼオライト、チタニア、バナジウム）や、Ｐｔ、Ｒｈ、Ｐｄのうち少なくとも２種の貴金属と、アルミナ、セリア、ジルコニアの少なくとも１種を含む三元触媒等が挙げられる。このような触媒を担持することにより、直接噴射式ガソリンエンジンやディーゼルエンジン等から排出される排ガスに含まれるＮＯｘ、ＣＯ、ＨＣ等を無毒化するとともに、隔壁１の表面に堆積したＰＭを触媒作用により燃焼除去させ易くすることが可能となる。
【００７６】
本実施形態の目封止ハニカム構造体において、上記のような触媒を担持させる方法は、特に限定されず、当業者が通常行う方法を採用することができる。具体的には、触媒スラリーをウォッシュコートして乾燥、焼成する方法等が挙げられる。
【００７７】
（２）目封止ハニカム構造体の製造方法：
図１〜図５に示す本実施形態の目封止ハニカム構造体の製造方法については、特に制限はなく、例えば、以下のような方法により製造することができる。まず、ハニカム構造部を作製するための可塑性の坏土を作製する。ハニカム構造部を作製するための坏土は、原料粉末として、前述の隔壁の好適な材料の中から選ばれた材料に、適宜、バインダ等の添加剤、及び水を添加することによって作製することができる。
【００７８】
次に、作製した坏土を押出成形することにより、複数のセルを区画形成する隔壁、及び最外周に配設された外周壁を有する、柱状のハニカム成形体を得る。押出成形においては、押出成形用の口金として、所望のセル形状、隔壁厚さ、セル密度を有する口金を用いることが好ましい。そして、この口金としては、押出成形されるハニカム成形体の隔壁の交点部が、焼成後に、本実施形態の目封止ハニカム構造体の構成を満たすように構成された口金を用いることが更に好ましい。
【００７９】
得られたハニカム成形体を、例えば、マイクロ波及び熱風で乾燥し、ハニカム成形体の製造に用いた材料と同様の材料で、セルの開口部を目封止することで目封止部を配設する。目封止部を配設した後に、ハニカム成形体を更に乾燥してもよい。
【００８０】
また、ハニカム成形体の隔壁の交点部については、例えば、押出成形後、乾燥後に、例えば、所定のセルの角部にスラリーを流し込むことによって、所定の隔壁の第一交点部に対して、セラミックス材料を含むスラリーを塗工し、当該第一交点部を肉厚なものとしてもよい。このようにして、所定の第一交点部が、第一特定交点部の条件を満たすようになるまで、上記スラリーを塗工し、第一交点部を、第一特定交点部としてもよい。所定のセルの角部にスラリーを流し込む際には、所定のセル以外の残余のセルの開口部を塞ぐようにマスクを施して、所定のセルのみにスラリーを流し込むことが好ましい。また、第一交点部を、第一特定交点部とする別の方法として、所定のセルの角部に、意図的に粘性の高いスラリーを流し込むことで、第一交点部を肉厚なものとする方法を挙げることができる。
【００８１】
次に、目封止部を配設したハニカム成形体を焼成することにより、目封止ハニカム構造体を得る。焼成温度及び焼成雰囲気は原料により異なり、当業者であれば、選択された材料に最適な焼成温度及び焼成雰囲気を選択することができる。
【実施例】
【００８２】
（実施例１）
コージェライト化原料１００質量部に、造孔材を１３質量部、分散媒を３５質量部、有機バインダを６質量部、分散剤を０．５質量部、それぞれ添加し、混合、混練して坏土を調製した。コージェライト化原料としては、アルミナ、水酸化アルミニウム、カオリン、タルク、及びシリカを使用した。分散媒としては水を使用し、造孔材としては平均粒子径１〜１０μｍのコークスを使用し、有機バインダとしてはヒドロキシプロピルメチルセルロースを使用し、分散剤としてはエチレングリコールを使用した。
【００８３】
次に、ハニカム成形体作製用の口金を用いて坏土を押出成形し、全体形状が円柱形のハニカム成形体を得た。ハニカム成形体には、セルの形状が略四角形のセルと、セルの形状が略五角形のセルとが、隔壁によって区画形成されていた。そして、ハニカム成形体は、略四角形のセルの周りを、略五角形の８個のセルが取り囲むように構成されたものであった。例えば、ハニカム成形体は、図４に示すような、セルの繰り返し配列パターンを有するものであった。
【００８４】
次に、ハニカム成形体をマイクロ波乾燥機で乾燥し、更に熱風乾燥機で完全に乾燥させた後、ハニカム成形体の両端面を切断し、所定の寸法に整えた。
【００８５】
次に、ハニカム成形体の一方の端面全域を覆うようにフィルムを被せ、当該フィルムの、略四角形のセル開口部に該当する箇所に穿孔部を開けた。次に、ハニカム成形体のフィルムを施した側の端部を、コージェライト化原料を含有するスラリー状の目封止材料に浸漬することによって、略四角形のセル開口部に、目封止材料を充填した。ハニカム成形体の一方の端面は、最終的に得られる目封止ハニカム構造体において、流入側端面とすることとした。
【００８６】
次に、ハニカム成形体の他方の端面全域を覆うようにフィルムを被せ、当該フィルムの、略五角形のセル開口部に該当する箇所に穿孔部を開けた。次に、ハニカム成形体のフィルムを施した側の端部を、コージェライト化原料を含有するスラリー状の目封止材料に浸漬することによって、略五角形のセル開口部に、目封止材料を充填した。ハニカム成形体の他方の端面は、最終的に得られる目封止ハニカム構造体において、流出側端面とすることとした。
【００８７】
次に、目封止材料を各セルの開口部に充填したハニカム成形体を、脱脂し、焼成して、実施例１の目封止ハニカム構造体を製造した。
【００８８】
得られた目封止ハニカム構造体は、図２に示すようなセル配列を有するものであった。ハニカム構造部を構成する隔壁の厚さは、３２０μｍであった。隔壁の厚さは、オプティカルマイクロスコープを用いて測定した値である。隔壁の気孔率は、６０％であった。気孔率は、水銀ポロシメータによって測定した値である。また、目封止ハニカム構造体は、端面の直径が１４４ｍｍの円柱形状であった。目封止ハニカム構造体のセルの延びる方向の長さは、１５２ｍｍであった。表１に、セル配列、隔壁厚さ、及び気孔率を示す。また、図２の拡大模式図である図４の符号ａで示す長さ（略四角のセルのピッチ）は、２．２ｍｍであり、図４の符号ｂで示す長さ（略五角のセルのピッチ）は、１．７６ｍｍであった。なお、符号ａ，ｂで示すセルのピッチは、各セルを形成する２つの隔壁のそれぞれの厚さの中心間の距離である。
【００８９】
【表１】
0006726594.tif 000002
【００９０】
実施例１の目封止ハニカム構造体は、全ての交点部に対する第一交点部の割合が、８９％であり、全ての交点部に対する非第一交点部の割合が、１１％であった。表２の「第一交点部の割合（個数％）」の欄に、全ての交点部に対する第一交点部の個数割合（個数％）を示す。実施例１の目封止ハニカム構造体は、隔壁が交わる交点部として、３つの隔壁が交わる交点部、及び４つの隔壁が交わる交点部を有するものであった。以下、３つの隔壁が交わる交点部を、「３辺交点部」ということがあり、４つの隔壁が交わる交点部を、「４辺交点部」ということがある。
【００９１】
また、３辺交点部のうち、第一交点部であるものについては、「３辺第一交点部」ということがあり、更に、第一特定交点部であるものについては、「３辺第一特定交点部」ということがある。また、４辺交点部のうち、第一交点部であるものについては、「４辺第一交点部」ということがあり、更に、第一特定交点部であるものについては、「４辺第一特定交点部」ということがある。また、第一交点部と同様に、非第一交点部についても、適宜、「３辺非第一交点部」、「３辺非第一特定交点部」、「４辺非第一交点部」、及び「４辺非第一特定交点部」ということがある。
【００９２】
実施例１の目封止ハニカム構造体について、全ての第一交点部に対する第一特定交点部の個数割合を求めた。全ての第一交点部に対する第一特定交点部の個数割合は、３０％であった。表２の「第一特定交点部の割合（個数％）」の欄に、全ての第一交点部に対する第一特定交点部の個数割合（個数％）を示す。
【００９３】
また、実施例１の目封止ハニカム構造体の第一特定交点部について、第一特定交点部の一部を含み且つ流入セルと流出セルとに接する最大内接円の直径Ｄ１を求めた。また、実施例１の目封止ハニカム構造体の第一特定交点部について、第一特定交点部内の流入セルと流出セルの最短距離Ｌ１を求めた。そして、第一特定交点部の最大内接円の直径Ｄ１を、最短距離Ｌ１で除した値である「Ｄ１／Ｌ１」を求めた。「３辺第一特定交点部のＤ１／Ｌ１」は、１．２５であった。表２の「３辺第一特定交点部のＤ１／Ｌ１」の欄に、「Ｄ１／Ｌ１」の値を示す。
【００９４】
また、実施例１の目封止ハニカム構造体について、全ての非第一交点部に対する非第一特定交点部の個数割合を求めた。全ての非第一交点部に対する非第一特定交点部の個数割合は、１００％であった。表３の「非第一特定交点部の割合（個数％）」の欄に、全ての非第一交点部に対する非第一特定交点部の個数割合（個数％）を示す。
【００９５】
また、実施例１の目封止ハニカム構造体について、第二交点部、及び第二特定交点部の個数を求めた。そして、全ての第一交点部に対する第二交点部の個数割合、及び全ての第一交点部に対する第二特定交点部の個数割合を求めた。表２の「第二交点部の割合（個数％）」の欄に、全ての第一交点部に対する第二交点部の個数割合（個数％）を示す。表３の「第二特定交点部の割合（個数％）」の欄に、全ての第一交点部に対する第二特定交点部の個数割合（個数％）を示す。
【００９６】
【表２】
0006726594.tif 000003
【００９７】
【表３】
0006726594.tif 000004
【００９８】
実施例１の目封止ハニカム構造体について、以下の方法で、「クラック発生時の捕集効率低下」、「圧力損失」、「アイソスタティック強度」の評価を行った。また、各評価結果に基づいて、「総合評価」を行った。各評価の評価結果を、表４に示す。
【００９９】
（クラック発生時の捕集効率低下）
２．２Ｌディーゼルエンジンを搭載するエンジンベンチにて、一定運転条件にて、所定量のＰＭを、各実施例及び比較例のハニカムフィルタ（目封止ハニカム構造体）へ堆積させた。その後、ポストインジェクションによる再生処理を行い、ハニカムフィルタの入口ガス温度を上昇させ、ハニカムフィルタの前後の圧損が低下し始めたところでポストインジェクションを切り、エンジンをアイドル状態に切り替えた。再生処理前の所定量のＰＭ堆積量を徐々に増加させ、ハニカムフィルタにクラックを生じさせた。その後、軽油燃料を不完全燃焼させてススを発生させる装置を用い、スス発生量５ｇ／時間、気体（排ガス）流量１．５Ｎｍ３／分の条件で、クラックが生じているハニカムフィルタ（担体）にススを含む排ガスを流した。この際、初期１分間の上流（担体に供給する前）及び下流（担体から排出された後）の気体中のスス濃度を測定し、上流の気体中のスス濃度及び下流の気体中のスス濃度の比率（下流の気体中のスス濃度／上流の気体中のスス濃度）を算出した。算出したスス濃度の比率をスス捕集効率とし、クラック発生前の同条件で測定したスス捕集効率と比較し、以下の評価基準で、評価を行った。
Ａ：捕集効率の低下が３％未満を、優とし、評価「Ａ」とする。
Ｂ：捕集効率の低下が３％以上１０％未満を、良とし、評価「Ｂ」とする。
Ｃ：捕集効率の低下が１０％以上１５％未満を、可とし、評価「Ｃ」とする。
Ｄ：捕集効率の低下が１５％以上を、不可とし、評価「Ｄ」とする。
【０１００】
（圧力損失）
２．２Ｌディーゼルエンジンの排気管にハニカムフィルタ（目封止ハニカム構造体）を装着し、エンジン回転数１８００ｒｐｍ、エンジントルク４０Ｎｍの一定条件にて運転し、ＰＭをハニカムフィルタへ堆積させた。このとき、ＰＭ堆積量に対する圧力損失の挙動を測定し、ＰＭ堆積量が４ｇ／Ｌの値をＰＭ付き圧力損失の値とした。それぞれのセル構造において、全ての第一交点部が第一特定交点部ではなく、かつ全ての非第一交点部が、非第一特定交点部であるサンプルの圧力損失の値と比較して、圧力損失の増加率の評価を行った。
Ａ：圧力損失の増加率が５％未満を、優とし、評価「Ａ」とする。
Ｂ：圧力損失の増加率が５％以上１０％未満を、良とし、評価「Ｂ」とする。
Ｃ：圧力損失の増加率が１０％以上２０％未満を、可とし、評価「Ｃ」とする。
Ｄ：圧力損失の増加率が２０％以上を、不可とし、評価「Ｄ」とする。
【０１０１】
（アイソスタティック強度）
アイソスタティック強度の測定は、社団法人自動車技術会発行の自動車規格（ＪＡＳＯ規格）のＭ５０５−８７で規定されているアイソスタティック破壊強度試験に基づいて行った。アイソスタティック破壊強度試験は、ゴムの筒状容器に、目封止ハニカム構造体を入れてアルミ製板で蓋をし、水中で等方加圧圧縮を行う試験である。即ち、アイソスタティック破壊強度試験は、缶体に、目封止ハニカム構造体が外周面把持される場合の圧縮負荷加重を模擬した試験である。このアイソスタティック破壊強度試験によって測定されるアイソスタティック強度は、目封止ハニカム構造体が破壊したときの加圧圧力値（ＭＰａ）で示される。以下の評価基準により、アイソスタティック強度の評価を行った。
Ａ：アイソスタティック強度が、１．５ＭＰａ以上である場合を、優とし、評価「Ａ」とする。
Ｂ：アイソスタティック強度が、０．７ＭＰａ以上、１．５ＭＰａ未満である場合を、良とし、評価「Ｂ」とする。
Ｄ：アイソスタティック強度が、０．７ＭＰａ未満である場合を、不可とし、評価「Ｄ」とする。
【０１０２】
（総合評価）
上述した各評価項目中で、最も低い評価の値を総合評価とした。なお、各評価は、Ａの評価が最も高く、以下、Ｂ、Ｃ、Ｄの順番で評価が低くなる。
【０１０３】
【表４】
0006726594.tif 000005
【０１０４】
（実施例２〜１９、比較例１〜４）
目封止ハニカム構造体の基本構成を表１に示すように変更し、交点部の構成を表２及び表３に示すように変更したこと以外は、実施例１と同様の方法で、目封止ハニカム構造体を作製した。実施例１８の目封止ハニカム構造体は、図１６に示すような、セル形状が略六角形のセル配列を有するものであった。実施例１９の目封止ハニカム構造体は、図１４に示すような、セル形状が略四角形のセル配列を有するものであった。
【０１０５】
実施例２〜１９、及び比較例１〜４の目封止ハニカム構造体について、実施例１と同様の方法で、「クラック発生時の捕集効率低下」、「圧力損失」、「アイソスタティック強度」の評価を行った。また、各評価結果に基づいて、「総合評価」を行った。各評価の評価結果を、表４に示す。
【０１０６】
（結果）
実施例１〜１９の目封止ハニカム構造体は、クラック発生時の捕集効率低下が小さいものであった。また、実施例１〜１９の目封止ハニカム構造体は、圧力損失、及びアイソスタティック強度の評価についても、Ｃ以上の評価であり、捕集フィルタとして好適に使用することができるものであった。一方、比較例１及び２の目封止ハニカム構造体は、クラック発生時の捕集効率低下が大きく、交点部にクラックが発生した際に、大きく捕集効率が低下するものであった。また、比較例３及び４の目封止ハニカム構造体は、クラック発生時の捕集効率低下は小さいものの、圧力損失が大きなものであった。
【産業上の利用可能性】
【０１０７】
本発明の目封止ハニカム構造体は、直噴ガソリンエンジンやディーゼルエンジン等から排出される排ガスに含まれる微粒子等を除去するための捕集フィルタとして利用することができる。
【符号の説明】
【０１０８】
１：隔壁、１ａ：第一隔壁、１ｂ：第二隔壁、２：セル、２ａ：流入セル、２ｂ：流出セル、３：目封止部、４：交点部、４ａ：第一交点部、４ａａ：第一特定交点部、４ａｂ：第二交点部、４ａｂａ：第二特定交点部、４ｃ：非第一交点部、４ｃａ：非第一特定交点
部、５：外周壁、７ａ，７ｂ，７ｃ，７ｄ，７ｅ：最大内接円、９：ハニカム構造部、１１：流入側端面、１２：流出側端面、１００：目封止ハニカム構造体、Ｄ０（ａ），Ｄ１（ａ），Ｄ２（ｂ），Ｄ１（ｃ），Ｄ２（ｄ）：直径（最大内接円の直径）、Ｌ０（ａ）：最短距離（非第一交点部内の流入セル同士の最短距離）、Ｌ１（ａ），Ｌ２（ｂ），Ｌ１（ｃ），Ｌ２（ｄ）：最短距離（第一交点部内の流入セルと流出セルの最短距離）。
【図１】
0006726594.tif 000006
【図２】
0006726594.tif 000007
【図３】
0006726594.tif 000008
【図４】
0006726594.tif 000009
【図５】
0006726594.tif 000010
【図６】
0006726594.tif 000011
【図７】
0006726594.tif 000012
【図８】
0006726594.tif 000013
【図９】
0006726594.tif 000014
【図１０】
0006726594.tif 000015
【図１１】
0006726594.tif 000016
【図１２】
0006726594.tif 000017
【図１３】
0006726594.tif 000018
【図１４】
0006726594.tif 000019
【図１５】
0006726594.tif 000020
【図１６】
0006726594.tif 000021
【図１７】
0006726594.tif 000022